(57)【要約】【課題】チャネル雑音推定方法および設備を提供する。【解決手段】当該チャネル雑音推定方法は、CRSに基づいてチャネルの遅延スプレッドに関連するチャネルパラメーターを推定するチャネルパラメーター推定ステップと、チャネルパラメーター推定ステップにおいて推定されたチャネルパラメーターにより、サンプル範囲を決定するパラメーター決定ステップと、受信したチャネル状態指示-参照信号CSI-RSによりチャネルのLS推定値を計算する最小二乘LS推定ステップと、LS推定ステップで算出されたLS推定値とパラメーター決定ステップで決定したサンプル範囲によりチャネルの雑音電力を推定する雑音電力推定ステップと、を含む。本発明は、LTE-AシステムのR１０とR１１バージョンにおけるCSI-RSに基づくチャネル雑音電力の推定を正確に行うことができ、推定誤差が比較的に大きい従来技術の問題を解決できる。【選択図】図１
2013214972.tif 000002
【特許請求の範囲】
【請求項１】
無線通信システムにおけるチャネル雑音推定方法であって、
セル固有参照信号CRSに基づいてチャネルの遅延スプレッドに関連するチャネルパラメーターを推定するチャネルパラメーター推定ステップと、
前記チャネルパラメーター推定ステップにおいて推定されたチャネルパラメーターにより、サンプル範囲を決定するパラメーター決定ステップと、
受信したチャネル状態指示-参照信号CSI-RSによりチャネルのLS推定値を計算する最小二乘LS推定ステップと、
前記LS推定ステップで算出されたLS推定値と前記パラメーター決定ステップで決定したサンプル範囲によりチャネルの雑音電力を推定する雑音電力推定ステップと、
を含む方法。
【請求項２】
前記パラメーター決定ステップにおいて、前記チャネルパラメーター推定ステップで推定されたチャネルパラメーターにより窓のタイプを決定し、
前記チャネル雑音推定方法は、前記パラメーター決定ステップで決定した窓のタイプにより、前記LS推定値に対して周波数領域から時間領域への変換を行う変換処理ステップを更に含み、
前記雑音電力推定ステップにおいて、変換処理後のLS推定値と前記サンプル範囲により前記チャネルの雑音電力を推定する請求項１記載の方法。
【請求項３】
変換処理は高速フーリエ逆変換IFFTを含む請求項２記載の方法。
【請求項４】
前記雑音電力推定ステップにおいて、変換処理による雑音電力の変化に対して補償を行う請求項２記載の方法。
【請求項５】
前記窓のタイプは、ハミング窓、ハニング窓、ブラックマン窓およびカイザー窓のうちの１つを含む請求項２記載の方法。
【請求項６】
無線通信システムにおけるチャネル雑音推定設備であって、
セル固有参照信号CRSに基づいてチャネルの遅延スプレッドに関連するチャネルパラメーターを推定するチャネルパラメーター推定ユニットと、
前記チャネルパラメーター推定ユニットにおいて推定されたチャネルパラメーターにより、サンプル範囲を決定するパラメーター決定ユニットと、
受信したチャネル状態指示-参照信号CSI-RSによりチャネルのLS推定値を計算する最小二乘LS推定ユニットと、
前記LS推定ユニットで算出されたLS推定値と前記パラメーター決定ユニットで決定したサンプル範囲によりチャネルの雑音電力を推定する雑音電力推定ユニットと、
を備える設備。
【請求項７】
前記パラメーター決定ユニットにおいて、前記チャネルパラメーター推定ユニットで推定されたチャネルパラメーターにより窓のタイプを決定し、
前記チャネル雑音推定設備は、前記パラメーター決定ユニットで決定した窓のタイプにより、前記LS推定値に対して周波数領域から時間領域への変換を行う変換処理ユニットを更に備え、
前記雑音電力推定ユニットにおいて、変換処理後のLS推定値と前記サンプル範囲により前記チャネルの雑音電力を推定する請求項６記載の設備。
【請求項８】
変換処理は高速フーリエ逆変換IFFTを含む請求項７記載の設備。
【請求項９】
前記雑音電力推定ユニットにおいて、変換処理による雑音電力の変化に対して補償を行う請求項７記載の設備。
【請求項１０】
前記窓のタイプは、ハミング窓、ハニング窓、ブラックマン窓およびカイザー窓のうちの１つを含む請求項７記載の設備。
【発明の詳細な説明】
【技術分野】
【０００１】
本発明は、無線通信技術分野に関し、詳しくは無線通信システムにおける、チャネル状態指示-参照信号（Channel  State  Indicator-Reference  Signal，CSI-RS）に基づくチャネル雑音/干渉推定方法および設備に関する。
【背景技術】
【０００２】
無線通信システムは、良好なマルチパス耐性と比較的に高いスペクトル効率を有するため、直交周波数分割多重（Orthogonal  Frequency  Division  Multiplexing，OFDM）はIEEE  P８０２.１６mおよび一般的な移動通信システム長期進化（Universal  Mobile  Telecommunication  System-Long  Term  Evolution，UMTS-LTE）を含む４Gと準４G技術に主な送信技術として採用されている。OFDMシステムは、受信側でリソースをスケジュールし且つリンク適応技術をサポートするために、一般的にRSのチャネル推定技術に基づいてチャネルの時間領域と周波数領域の変化を追跡する方法が採用されている。
【０００３】
LTEのR８バージョンにおいて、セル固有参照信号（Cell  specific  RS，CRS）がリンク適応技術のサポートに用いられ、且つ最大４個のポートをサポートできるように設定されている。スペクトル効率を上げるために、R８のアップグレードバージョンR１０はCSI-RSを提供する。CRSに比べ、CSI-RSは最大８個のポートをサポートすることができる。これは、R１０バージョンにおいて基地局が最大８本の送信アンテナの配置を使用できることと一致する。また、CRSに比べ、CSI-RSが更に疎らな時間領域と周波数領域の粒度を有するため、閉ループ送信をサポートすると同時にリソースの効率を上げることができる。
【発明の概要】
【発明が解決しようとする課題】
【０００４】
従来のチャネル雑音推定方法において、通常チャネルの時間領域又は周波数領域の不変性を想定しチャネルの最小二乘（Least  Square，LS）推定値を減らして雑音電力を抽出する。しかし、CSI-RSの時間領域と周波数領域における分布は非常に疎らであるため、もし遅延スプレッドが比較的に大きい（即ち、周波数選択が厳しい）チャネルにおいて従来の雑音推定方法を採用すると、比較的に大きい推定誤差をもたらすことがある。現在、比較的に良く見られる解決案は、CRSに基づいて推定される雑音電力を採用してCSI-RSの使用に供する。これは、CRSの時間領域と周波数領域における分布が比較的に密集するからである。LTEシステムのR１０とR１１バージョンにおいては、拡張セル間干渉制御(Enhanced  Inter-cell  Interference  Coordination，eICIC)とマルチセル協調送受信  (Coordinated  Multiple  Point，CoMP)を採用してスペクトル効率を上げる。しかし、この２種類の方法を採用するときに、CRSとCSI-RSが受ける干渉のレベルが異なる。従って、CRSに基づいて推定された干渉/雑音電力は、CSI-RSに基づく閉ループ送信に使うことができない。従って、eICICとCoMPに適する、CSI-RSに基づく雑音電力推定方法を開発する必要がある。
【０００５】
本発明は、上述の課題に鑑みてなされたものであり、その目的は、無線通信システムに用いられ、CSI-RSに基づくチャネル雑音推定方法と設備を提供することにある。本発明は、LTE  R１０とR１１バージョンが採用するeICICとCoMPに適さない従来技術の技術的課題を解決し、CSI-RSに基づく雑音電力推定結果をより正確に獲得することができる。
【課題を解決するための手段】
【０００６】
以下に、本発明を簡単に説明して本発明の基本的な理解を提供する。この簡単な説明は、本発明に対する網羅的なものではない。また、本発明の肝心部分又は重要部分を決定する意図がなく、本発明の範囲を限定する意図もなく、簡単な形式で幾つかの概念を提供して後述のより詳しい説明の先行説明とすることに過ぎないことは、理解されるところである。
【０００７】
上述の目的を達成するために、本発明の１つの実施例によれば、無線通信システムにおけるチャネル雑音推定方法を提供する。当該方法は、CRSに基づいてチャネルの遅延スプレッドに関連するチャネルパラメーターを推定するチャネルパラメーター推定ステップと、チャネルパラメーター推定ステップにおいて推定されたチャネルパラメーターにより、サンプル範囲を決定するパラメーター決定ステップと、受信したチャネル状態指示-参照信号CSI-RSによりチャネルのLS推定値を計算する最小二乘LS推定ステップと、LS推定ステップで算出されたLS推定値とパラメーター決定ステップで決定したサンプル範囲によりチャネルの雑音電力を推定する雑音電力推定ステップと、を含む。
【０００８】
本発明の好ましい実施例として、パラメーター決定ステップにおいて、チャネルパラメーター推定ステップで推定されたチャネルパラメーターにより窓のタイプを決定することができる。当該チャネル雑音推定方法は、パラメーター決定ステップで決定した窓のタイプにより、LS推定値に対して周波数領域から時間領域への変換を行う変換処理ステップを更に含むことができる。また、雑音電力推定ステップにおいて、変換処理後のLS推定値とサンプル範囲によりチャネルの雑音電力を推定する。
【０００９】
本発明のもう１つの好ましい実施例によれば、変換処理は高速フーリエ逆変換IFFTを含むことができる。
【００１０】
本発明のもう１つの好ましい実施例によれば、変換処理において、窓かけを行う関数値は、窓のタイプとCSI-RSの数に関連する。
【００１１】
本発明のもう１つの好ましい実施例によれば、雑音電力推定ステップにおいて、変換処理による雑音電力の変化に対して補償を行うことができる。
【００１２】
本発明のもう１つの実施例によれば、無線通信システムにおけるチャネル雑音推定設備を提供する。当該設備は、CRSに基づいてチャネルの遅延スプレッドに関連するチャネルパラメーターを推定するチャネルパラメーター推定ユニットと、チャネルパラメーター推定ユニットにおいて推定されたチャネルパラメーターにより、サンプル範囲を決定するパラメーター決定ユニットと、受信したチャネル状態指示-参照信号CSI-RSによりチャネルのLS推定値を計算する最小二乘LS推定ユニットと、LS推定ユニットで算出されたLS推定値とパラメーター決定ユニットで決定したサンプル範囲によりチャネルの雑音電力を推定する雑音電力推定ユニットと、を備える。
【００１３】
本発明のもう１つの実施様態は、記録媒体を提供する。当該記録媒体に機器読み取り可能なプログラムコードを記録されている。情報処理設備においてプログラムコードを実行するとき、当該プログラムコードが情報処理設備に本発明の上記チャネル雑音推定方法を実行させる。
【００１４】
本発明のもう１つの実施様態は、プログラムを提供する。当該プログラムは、機器読み取り可能な指令を含み、情報処理設備において指令を実行するとき、当該指令が情報処理設備に本発明の上記チャネル雑音推定方法を実行させる。
【００１５】
従って、本発明の実施例によれば、eICICとCoMP技術を採用するLTE-AシステムのR１０とR１１バージョンにおいて、CSI-RSに基づくチャネル雑音電力を正確に、効率よく実現することができる。
【００１６】
以下の明細書には本発明の実施例のその他の方面について説明するが、詳細な説明は、本発明の好ましい実施例を十分に開示するものであるが、それを制約するものではない。
【図面の簡単な説明】
【００１７】
以下、具体的な実施例に基づき且つ付属の図面を参照して、本発明の実施例の上記およびその他の目的と利点についてさらに説明する。図面において、同じ又は対応する技術的特征又は構成要件について同じ又は対応する記号で表す。
【図１】本発明の無線通信システムにおけるチャネル雑音推定方法のフローチャートである。
【図２】本発明におけるチャネルパラメーター推定処理のフローチャートである。
【図３】LTE-A（R１０）システムにおけるCSI-RSのパイロット構造を例示的に示す図である。
【図４】異なるチャネルタイプ、バンド幅および信号対雑音比に対して、従来の方法と本発明の方法のチャネル推定誤差の累積分布関数（CDF）性能の比較を示す図である。
【図５】異なるチャネルタイプ、バンド幅および信号対雑音比に対して、従来の方法と本発明の方法のチャネル推定誤差の累積分布関数（CDF）性能の比較を示す図である。
【図６】異なるチャネルタイプ、バンド幅および信号対雑音比に対して、従来の方法と本発明の方法のチャネル推定誤差の累積分布関数（CDF）性能の比較を示す図である。
【図７】異なるチャネルタイプ、バンド幅および信号対雑音比に対して、従来の方法と本発明の方法のチャネル推定誤差の累積分布関数（CDF）性能の比較を示す図である。
【図８】本発明の無線通信システムにおける雑音推定設備の機能配置を示すブロック図。
【図９】本発明のチャネルパラメーター推定ユニットの機能配置を示すブロック図である。
【図１０】本発明の実施例に採用された情報処理設備であるパソコンの例示的な構成を示すブロック図である。
【発明を実施するための形態】
【００１８】
以下、本発明の例示的な実施例について、付属の図面を参照しつつ説明する。明瞭にするために、明細書には実際の実施形態の技術的特徴の全ては説明されていない。しかし、実際の実施例の開発に当たって開発者の具体的な目標を達成するために実施形態に特定した決定を下る必要があることは理解されるところである。例えば、システムおよび業務内容の制約条件を満たす。また、これらの制約条件は実施形態によって変わることがある。さらに、開発作業は非常に複雑で時間がかかるものだが、当該内容の公開によって恩恵を受ける当業者にとってこのような開発作業は恒例の任務に過ぎないことも理解されるところである。
【００１９】
ここで説明すべきなのは、不必要な詳細な説明により本発明をぼんやりさせてしまうのを防ぐために図面には本発明と密接な関係を持つ装置の構造および/又は処理ステップのみを示し、本発明と密接な関係を有さない他の詳細は省略されている。
【００２０】
以下、図１〜１０を参照して本発明の実施例を説明する。説明すべきなのは、以下の説明においてLTE-Aシステムを例として説明を行うが、本発明はこれに限らないことは理解されるべきである。
【００２１】
まずは、図１に示されるフローチャートを参照して、本発明の実施例のチャネル雑音推定方法について説明する。当該チャネル雑音推定方法は、チャネルパラメーター推定ステップS１０１と、パラメーター決定ステップS１０２と、LS推定ステップS１０３と、雑音電力推定ステップS１０５とを含み、さらに、変換処理ステップS１０４を含むこともできる。
【００２２】
チャネルパラメーター推定ステップS１０１は、CRSに基づいてチャネルの遅延スプレッドに関連するチャネルパラメーターを推定する。チャネルパラメーターを推定するときに、CSI-RSに基づく雑音電力が未知数であるため、ここにCRSに基づいてチャネルパラメーターを推定する。
【００２３】
好ましくは、図３に示されたように、チャネルパラメーター推定ステップS１０１は、更に周波数領域誤差計算サブステップS３０１と正規化サブステップS３０２を含むことができる。
【００２４】
具体的に、周波数領域誤差計算サブステップS３０１において、隣接するCRSのLS推定値の間の差を計算し周波数領域誤差とすることができる。当該過程は以下の数式（１）で表すことができる：
【数１】
2013214972.tif 000003
ここに、hLS_CRS(a,c,f)、
【数２】
2013214972.tif 000004
およびSCRSは、それぞれCRSに基づくLS推定値、CRSに基づいて推定された雑音電力およびCRSの信号電力を表す。aは、第a個受信アンテナであり、cはCRSのポート番号であり、fはCRSの周波数領域番号であり、Nrxは受信アンテナの数であり、NCRSはCRSのポートの数である。また、NfCRSはCRSの全周波数帯域における数である。ここに、hLS_CRS(a,c,f)、
【数３】
2013214972.tif 000005
およびSCRSの計算は、当該技術分野の公知の方法により実現できるため、ここに詳細な説明を省略する。
【００２５】
続いて、正規化サブステップS３０２において、周波数領域誤差計算サブステップS３０１で算出された周波数領域誤差に対して正規化を行い、チャネルの遅延スプレッドに関連するチャネルパラメーターを獲得することができる。具体的に、当該過程は以下の数式（２）で表すことができる：
【数４】
2013214972.tif 000006
ここに、hrmsはチャネルの遅延スプレッド情報である。
【００２６】
次に、図１を参照して続けて本発明のチャネル雑音推定方法を説明する。
【００２７】
パラメーター決定ステップS１０２において、チャネルパラメーター推定ステップS１０１で推定されたチャネルパラメーターによりサンプル範囲を決定することができる。
【００２８】
サンプル範囲の選択について、一般的に、遅延スプレッド値hrmsが小さいほど多くのサンプルを採用することができる。即ち、サンプルの範囲が大きい。以下の表１には異なるバンド幅に対して、チャネル遅延に対するサンプル範囲の選択の例が示されている。ここに、hTHは、チャネルタイプ（即ち、大遅延スプレッドチャネル又は小遅延スプレッドチャネル）の閾値を決定するために使う。
【表１】
2013214972.tif 000007
【００２９】
LS推定ステップS１０３において、受信したCSI-RSにより信号のLS推定値を計算することができる。
【００３０】
具体的に、CSI-RSに基づくLS推定について、図２に示されたLTE-A（R１０）の中のCSI-RSのパイロット構造の概略図から明らかなように、CSI-RSは、符号分割多重（CDM）を通じて隣接する２つのOFDM符号に載せられているため、LS推定には符号分割多重を解く過程を含む。ここに、yを受信信号とし、wを送信した既知の配列とすると、第a個受信アンテナ、第b個CSI-RS端口、第l個OFDM符号および第k個サブキャリアに対して算出したLS推定値は以下の数式（３）により表すことができる：
【数５】
2013214972.tif 000008
ここに、mはCSI-RSの番号であり、nsはサブフレームの番号である。当該LS推定値の計算数式は当該技術分野の公知の技術であるため、ここに詳細な説明を省略する。
【００３１】
雑音電力推定ステップS１０５においてLS推定ステップS１０３で算出されたLS推定値とパラメーター決定ステップS１０２で決定したサンプル範囲により、チャネルの雑音電力を推定することができる。
【００３２】
好ましくは、パラメーター決定ステップS１０２において、チャネルパラメーター推定ステップS１０１で推定されたチャネルパラメーターにより、窓のタイプを決定することもできる。決定した窓のタイプはハミング（hamming）窓、ハニング（hanning）窓、ブラックマン（blackman）窓、カイザー（kaiser）窓等を含むことができるが、これらに限定されない。一般にハミング窓は遅延スプレッドが比較的に小さいチャネルに適し、ハニング窓とブラックマン窓は遅延スプレッドが比較的に大きいチャネルに適する。ここに、好ましくは、ハニング窓を採用する。また、カイザー窓は係数が調整可能である。
【００３３】
当該チャネル雑音推定方法は、パラメーター決定ステップS１０２で決定した窓のタイプにより、CSI-RSに基づくLS推定値に対して周波数領域から時間領域への変換を行う変換処理ステップS１０４をさらに含む。好ましくは、変換処理はIFFTを含むことができる。以下、変換処理ステップS１０４を詳しく説明する。
【００３４】
通常、仮想キャリアによるエネルギー漏れを減らすために上記得られたCSI-RSに基づくLS推定値に対して窓かけすることができる。窓かけした後のLS推定値は、以下の数式（４）で表す：
【数６】
2013214972.tif 000009
【００３５】
ここに、w(m)の値は、決定した窓のタイプおよびCSI-RSの数によるものである。以下、ハニング窓を採用した場合のw(m)値の計算式を例として示す：
【数７】
2013214972.tif 000010
【００３６】
理解すべきなのは、当該窓かけ処理は選択可能な処理であり、窓かけしていないLS推定値をチャネル雑音電力推定に用いることもできるが、推定誤差が比較的に大きくなる可能性がある。
【００３７】
続いて、その後のIFFT操作がしやすいために配列の数がNIFFTに達するよう、窓かけ処理後に得られた配列に対してゼロを付加し、ゼロを付加した後のLS推定値hpre(a,b,m)の数式は以下の通りである：
【数８】
2013214972.tif 000011
【００３８】
また、異なるバンド幅に対してNIFFTは異なる値を取る。表２には、１つの例として異なるバンド幅に対するNIFFTの値を示している。理解すべきなのは、下記の表は単に例示するためのものであり、本発明を限定するものではない。
【表２】
2013214972.tif 000012
【００３９】
それから、例えばIFFTの周波数領域から時間領域への変換を通じて窓かけされ、ゼロを付加した後のLS推定値を時間領域へ変換し、これにより、以下の数式（７）に示されたように、LS推定値の時間領域表示を獲得する：  
【数９】
2013214972.tif 000013
【００４０】
従って、雑音電力推定ステップS１０５において、変換処理を経た後のLS推定値と決定したサンプル範囲により、チャネルの雑音電力を推定することができる。
【００４１】
好ましくは、雑音電力推定ステップS１０５において、例えば窓かけ、ゼロ付加、IFFT等の操作による電力値の変化を補償することもできる。これによりCSI-RSに基づくチャネル雑音電力推定がより正確になる。具体的に、例えば、仮に決定したサンプル範囲をk_left〜k_rightとすれば、全体のサンプル数Nsample=k_right-k_left+１である。ここにk_leftとk_rightはそれぞれサンプル範囲の下限と上限を表す。従って、補償後に推定されたチャネル雑音電力は下記の数式で表される：
【数１０】
2013214972.tif 000014
【００４２】
ここに、Fcompは、電力値変化を補償する補償係数であり、且つ
【数１１】
2013214972.tif 000015
である。ここに、w(k)は窓函数のタイプおよびCSI-RSの数に関連する。
【００４３】
図４〜７には異なるチャネルタイプ、バンド幅および信号対雑音比に対して、従来の方法と本発明の方法のチャネル推定誤差の累積分布関数（CDF）性能の比較が示されている。具体的に、図４と図６は、それぞれEPAチャネル（チャネルの遅延スプレッドが比較的に小さい）、１.４Mと２０Mバンド幅の場合、各方法の推定誤差のCDF性能の比較を示している。また、図５と図７は、それぞれEPUチャネル（チャネルの遅延スプレッドが比較的に大きい）、１.４  Mと２０Mバンド幅の場合各方法の推定誤差のCDF性能の比較を示している。図４〜図７においてFDは、従来の方法であり、TDは本発明の方法である。
【００４４】
図４〜図７に示された比較から明らかなように、本発明の方法は、遅延スプレッドが大きくて且つバンド幅が高いとき一定の優位性を持つ。
【００４５】
以上図１〜７を参照しながら本発明の実施例に関るチャネル推定方法を詳しく説明したが、図に示されたフローチャートは単に例示的なものであり、実際の応用と具体的な要求に基づいて上述の方法の工程を変更することができることは当業者にとって自明である。例えば、必要に応じて、上述の方法の中の一部のステップの実行順番を調整したり、一部の処理ステップを省略または追加したりすることができる。例えば、図１の破線枠に示されたように、変換処理ステップS１０４が選択可能なものであり、事前の処理を行わないまま雑音電力を推定することができる。
【００４６】
変換処理を実行することによって仮想キャリアによるエネルギー漏れを減らすことができる。また、雑音電力推定ステップS１０５で行う補償操作も選択可能であり、補償操作を実行することによって変換処理による電力値の変化を補償することができ，推定結果がより正確である。
【００４７】
本発明の実施例に係るチャネル雑音推定方法に対応して、本発明の実施例はチャネル雑音推定設備をも提供する。
【００４８】
図８に示されたように、本発明のチャネル雑音推定設備は、チャネルパラメーター推定ユニット８０１と、パラメーター決定ユニット８０２と、LS推定ユニット８０３および雑音電力推定ユニット８０５とを備える。好ましくは、当該チャネル雑音推定設備は、変換処理ユニット８０４を更に備える。続いて、図６を参照しながら各ユニットの機能配置について詳しく説明する。
【００４９】
チャネルパラメーター推定ユニット８０１は、CRSに基づいてチャネルの遅延スプレッドに関連するチャネルパラメーターを推定する。また、チャネルパラメーター推定ユニット８０１は、CRSに基づくLS推定値、CRSに基づいて推定した雑音電力およびCRSの信号電力に基づいてチャネルパラメーターを推定する必要がある。この３つの値の計算方法は当該技術分野の公知技術であるため、ここに詳細な説明を省略する。
【００５０】
好ましくは、図９に示されたように、チャネルパラメーター推定ユニット８０１は周波数領域誤差計算モジュール９０１と正規化モジュール９０２を更に備えることができる。
【００５１】
具体的に、周波数領域誤差計算モジュール９０１は、隣接するCRSのLS推定値の間の差を計算し周波数領域誤差とすることができる。続いて、正規化モジュール９０２は、周波数領域誤差計算モジュール９０１で算出された周波数領域誤差に対して正規化を行い、チャネルの遅延スプレッドに関連するチャネルパラメーターを獲得する。
【００５２】
図８に戻って説明する。パラメーター決定ユニット８０２は、チャネルパラメーター推定ユニット８０１で推定されたチャネルパラメーターによって、サンプル範囲を決定する。具体的に、サンプル範囲の選択はチャネルの遅延スプレッドに関連する。一般的に、遅延スプレッド値が小さいほど、多くのサンプルを採用でき、即ち、サンプルの範囲が大きい。
【００５３】
LS推定ユニット８０３は、受信したCSI-RSによってチャネルのLS推定値を計算する。CSI-RSに基づくLS推定値の計算過程については、上述の方法の実施例の関連部分を参照できるためここで詳細な説明を省略する。
【００５４】
雑音電力推定ユニット８０５は、LS推定ユニット８０３で算出されたLS推定値とパラメーター決定ユニット８０２で決定したサンプル範囲によってチャネルの雑音電力を推定する。
【００５５】
好ましくは、パラメーター決定ユニット８０２は、チャネルパラメーター推定ユニットで推定されたチャネルパラメーターによって窓のタイプを決定する。具体的に、窓のタイプの選択はチャネルの遅延スプレッドに関連する。一般的に、ハミング窓は遅延スプレッドが比較的に小さいチャネルに適し、ハニング窓とブラックマン窓は遅延スプレッドが比較的に大きいチャネルに適する。好ましくは、ハニング窓を採用し、カイザー窓は系数が調整できるものである。
【００５６】
また、当該チャネル雑音推定設備は、パラメーター決定ユニット８０２で決定した窓のタイプによってCSI-RSに基づくLS推定値に対して周波数領域から時間領域への変換を行う変換処理ユニット８０４を更に備えることができる。好ましくは，変換処理はIFFTを含む。
【００５７】
通常、窓かけ操作を実行し仮想キャリアによるエネルギー漏れを減らす。好ましくは、窓函数の値は、決定された窓のタイプおよびCSI-RSの数によって決める。続いて、その後のIFFT操作をしやすいために、配列の数がNIFFTに達するよう、窓かけ操作後に得られた配列にゼロを付加することができる。NIFFTについて異なるバンド幅に異なる値を取る。それから、例えばIFFTの周波数領域から時間領域への変換を通じて窓かけとゼロ付加を経た後のLS推定値を時間領域に変換することができる。
【００５８】
好ましくは、変換処理ユニット８０４においてCSI-RSに基づくLS推定値に対して例えば窓かけ、ゼロ付加およびIFFT等の操作を実行した後に、雑音電力推定ユニット８０５は、雑音電力を推定するときに，以上の操作による電力値の変化について補償を行い、チャネル雑音電力の推定をより正確にすることができる。
【００５９】
説明すべきなのは、本発明の実施例に述べた設備は、上述の方法の実施例に対応している。従って、設備の実施例の中で詳細を省略した部分について、方法の実施例の中の相応する部分を参照できるため、ここに省略する。
【００６０】
また、説明すべきなのは、上記一連の処理と設備はソフトウェアおよび/又はファームウェアによって実現することができる。ソフトウェアおよび/又はファームウェアによって実現する場合、記録媒体又はネットワークから専用ハードウェアを有するコンピュータ、例えば図１０に示されるような汎用パソコン１０００へ当該ソフトウェアを構成するプログラムをインストールし、当該コンピュータが各プログラムをインストールされたときに、各機能等を実行することができる。
【００６１】
図１０には、セントラルプロセッシングユニット（CPU）１００１は、読み取り専用メモリ（ROM）１００２に記録されたプログラム又は記録部１００８からランダムアクセスメモリ（RAM）１００３にアップロードされたプログラムに基づいて各種の処理を行う。RAM１００３には、必要に応じてCPU１００１が各種の処理等を実行するときに必要なデータをも記録する。
【００６２】
CPU１００１、ROM１００２とRAM１００３はバス１００４を介して互いに接続される。入力/出力インタフェース１００５もバス１００４に接続される。
【００６３】
以下の要素も入力/出力インタフェース１００５に接続される：キーボードやマウス等を含む入力部１００６；例えばブラウン管（CRT）や液晶ディスプレイ（LCD）等のモニタやスピーカー等を含む出力部１００７；ハードディスク等を含む記録部１００８；例えばLANカード等のネットワークインタフェースカードやモデム等を含む通信部１００９。また、通信部１００９はネットワーク、例えばインターネットを介して通信処理を行う。
【００６４】
必要に応じて、ドライブ１０１０も入力/出力インタフェース１００５に接続される。必要に応じて、取り外し可能な媒体１０１１、例えば磁気ディスク、光ディスク、光磁気ディスク、半導体記憶装置等を、ドライブ１０１０に挿入し、その中から読み出されたコンピュータプログラムは必要に応じて記録部１００８にインストールされる。
【００６５】
ソフトウェアを介して前記一連の処理を実行する場合、ネットワーク、例えばインターネット、又は記録媒体、例えば取り外し可能な媒体１０１１からソフトウェアを構成するプログラムをインストールする。
【００６６】
当業者が理解されるように、ここでの記録媒体は、図１０に示されたような、中にプログラムが記録され、設備と分離して配布しユーザにプログラムを提供する取り外し可能な媒体１０１１には限らない。取り外し可能な媒体１０１１の例として、磁気ディスク(フロッピーディスク(登録商標)を含む)、光ディスク(コンパクトディスク（CD）による読み出し専用メモリー(CD-ROM)とデジタル多用途ディスク(DVD)を含む)、光磁気ディスク（ミニディスク(MD)(登録商標)を含む)と半導体記憶装置などを含む。また、記録媒体は、ROM１００２や記録部１００８に含まれるハードディスクであっても良い。その中にプログラムが記録され、且つそれを記録する設備と一緒にユーザに配布される。
【００６７】
また、上記一連の処理を実行するステップは、自然に明細書に説明された時間順で行うことができるが、必ずしも時間順に従って実行する必要はない。一部のステップは並行に又は個別に実行されでも良い。
【００６８】
本発明とその特徴を詳細に説明してきたが、添付の請求の範囲の要旨と範囲内に本発明に対する様々な変更、改善又は均等物を設計することができるものと認めるべきである。また、用語「含む」、「備える」又はその他の形式の表現は、排他的ではない「含む」、「備える」を意味する。よって、一連の要素を含む過程、方法、物品又は設備は、その要素だけではなく、明確に列挙されていないその他の要素も含む。また、これらの過程、方法、物品又は設備に固有の要素をも含む。更なる限定がない場合、「１つの…を含む」で記載した要素は、前記要素を含む過程、方法、物品又は設備に他の同様な要素の存在を排除しない。
【００６９】
以上の実施例を含む実施形態に関し、さらに以下の付記を開示する。
（付記１）
無線通信システムにおけるチャネル雑音推定方法であって、
セル固有参照信号CRSに基づいてチャネルの遅延スプレッドに関連するチャネルパラメーターを推定するチャネルパラメーター推定ステップと、
前記チャネルパラメーター推定ステップにおいて推定されたチャネルパラメーターにより、サンプル範囲を決定するパラメーター決定ステップと、
受信したチャネル状態指示-参照信号CSI-RSによりチャネルのLS推定値を計算する最小二乘LS推定ステップと、
前記LS推定ステップで算出されたLS推定値と前記パラメーター決定ステップで決定したサンプル範囲によりチャネルの雑音電力を推定する雑音電力推定ステップと、
を含む方法。
（付記２）
前記パラメーター決定ステップにおいて、前記チャネルパラメーター推定ステップで推定されたチャネルパラメーターにより窓のタイプを決定し、
前記チャネル雑音推定方法は、前記パラメーター決定ステップで決定した窓のタイプにより、前記LS推定値に対して周波数領域から時間領域への変換を行う変換処理ステップを更に含み、
前記雑音電力推定ステップにおいて、変換処理後のLS推定値と前記サンプル範囲により前記チャネルの雑音電力を推定する付記１記載の方法。
（付記３）
変換処理は高速フーリエ逆変換IFFTを含む付記２記載の方法。
（付記４）
前記変換処理において、窓関数をかける関数値は、前記窓のタイプとCSI-RSの数に関連する付記３記載の方法。
（付記５）
前記雑音電力推定ステップにおいて、変換処理による雑音電力の変化に対して補償を行う付記２記載の方法。
（付記６）
前記窓のタイプは、ハミング窓、ハニング窓、ブラックマン窓およびカイザー窓のうちの１つを含む付記２記載の方法。
（付記７）
前記チャネルパラメーター推定ステップは：
隣接するCRSに基づくLS推定値の間的差を計算し周波数領域誤差とする周波数領域誤差計算サブステップと、
算出された周波数領域誤差に対して正規化を行い、前記チャネルの遅延スプレッドに関連するチャネルパラメーターを獲得する正規化サブステップと、
を含む付記１記載の方法。
（付記８）
前記無線通信システムは、改善された長期的進化LTE-Aシステムを含む付記１〜７のいずれか記載の方法。
（付記９）
無線通信システムにおけるチャネル雑音推定設備であって、
セル固有参照信号CRSに基づいてチャネルの遅延スプレッドに関連するチャネルパラメーターを推定するチャネルパラメーター推定ユニットと、
前記チャネルパラメーター推定ユニットにおいて推定されたチャネルパラメーターにより、サンプル範囲を決定するパラメーター決定ユニットと、
受信したチャネル状態指示-参照信号CSI-RSによりチャネルのLS推定値を計算する最小二乘LS推定ユニットと、
前記LS推定ユニットで算出されたLS推定値と前記パラメーター決定ユニットで決定したサンプル範囲によりチャネルの雑音電力を推定する雑音電力推定ユニットと、
を備える設備。
（付記１０）
前記パラメーター決定ユニットにおいて、前記チャネルパラメーター推定ユニットで推定されたチャネルパラメーターにより窓のタイプを決定し、
前記チャネル雑音推定設備は、前記パラメーター決定ユニットで決定した窓のタイプにより、前記LS推定値に対して周波数領域から時間領域への変換を行う変換処理ユニットを更に含み、
前記雑音電力推定ユニットにおいて、変換処理後のLS推定値と前記サンプル範囲により前記チャネルの雑音電力を推定する付記９記載の設備。
（付記１１）
変換処理は高速フーリエ逆変換IFFTを含む付記１０記載の設備。
（付記１２）
前記変換処理において、窓関数をかける関数値は、前記窓のタイプとCSI-RSの数に関連する付記１１記載の設備。
（付記１３）
前記雑音電力推定ユニットにおいて、変換処理による雑音電力の変化に対して補償を行う付記１０記載の設備。
（付記１４）
前記窓のタイプは、ハミング窓、ハニング窓、ブラックマン窓およびカイザー窓のうちの１つを含む付記１０記載の設備。
（付記１５）
前記チャネルパラメーター推定ユニットは：
隣接するCRSに基づくLS推定値の間的差を計算し周波数領域誤差とする周波数領域誤差計算サブユニットと、
算出された周波数領域誤差に対して正規化を行い、前記チャネルの遅延スプレッドに関連するチャネルパラメーターを獲得する正規化サブユニットと、
を含む付記９記載の設備。
（付記１６）
前記無線通信システムは、改善された長期的進化LTE-Aシステムを含む付記９〜１５のいずれか記載の設備。
【図１】
2013214972.tif 000016
【図２】
2013214972.tif 000017
【図３】
2013214972.tif 000018
【図４】
2013214972.tif 000019
【図５】
2013214972.tif 000020
【図６】
2013214972.tif 000021
【図７】
2013214972.tif 000022
【図８】
2013214972.tif 000023
【図９】
2013214972.tif 000024
【図１０】
2013214972.tif 000025